(57)【要約】【課題】  使用状態に関わらず取出し易く又食品収容時に邪魔にならない食品収容容器を提供する。【解決手段】  食品収容容器１１は、底部１３と、これに接続する一対の第１周壁部１４ａ，第１周壁部１４ｂと、底部１３に接続する第２周壁部１５ａ，第２周壁部１５ｂと、これらの周壁部を各々接続するコーナー周壁部１７ａ〜コーナー周壁部１７ｄと、第１周壁部１４ａ，第１周壁部１４ｂの各々に接続する取手部１９ａ，取手部１９ｂとから構成されている。取手部１９ａ，取手部１９ｂの各々には外周縁から底部１３に向う折り目２０ａ，折り目２０ｂが形成され、各々の曲げ強度を向上している。使用時には、食品を食品収容容器１１に収容した状態で、取手部１９ａ，取手部１９ｂを摘んで持ち上げて移動させれば良い。【選択図】  図１
2006347596.tif 000002
【特許請求の範囲】
【請求項１】
１枚のブランクシートからプレス加工によって形成される食品収容容器であって、
矩形形状の底部と、
前記底部の対向する一対の辺の各々から上方に立ち上がる矩形形状の一対の第１周壁部と、
前記底部の対向する一対の他辺の各々から上方に立ち上がる矩形形状の一対の第２周壁部と、
前記第１周壁部及び前記第２周壁部の少なくとも一方の外縁の少なくとも一部に接続された一対の取手部とを備え、
前記取手部の各々には、その外周縁の位置から前記底部に向う折り目が形成される、食品収容容器。
【請求項２】
前記折り目は、前記外縁を超えて対応する前記第１周壁部及び前記第２周壁部のいずれかまで形成される、請求項１記載の食品収容容器。
【請求項３】
前記折り目は、前記底部の近傍まで形成される、請求項２記載の食品収容容器。
【請求項４】
前記折り目は、対応する前記取手部の各々に対して複数形成される、請求項１から請求項３のいずれかに記載の食品収容容器。
【請求項５】
１枚のブランクシートからプレス加工によって形成される食品収容容器であって、
底部と、
前記底部に接続される少なくとも一対の周壁部と、
前記周壁部の各々の外縁の少なくとも一部に接続された一対の取手部とを備え、
前記取手部の各々には、その外周縁の位置から前記底部に向う折り目が形成される、食品収容容器。
【発明の詳細な説明】
【技術分野】
【０００１】
この発明は食品収容容器に関し、特におかず等の食品を小分して収容し、その状態で弁当箱に収納することができる食品収容容器に関するものである。
【背景技術】
【０００２】
図４は従来の食品収容容器の外観形状を示した斜視図であり、図５はプレス成型によって図４の容器を形成するためのブランクシートの外観形状を示した平面図である。
【０００３】
これらの図を参照して、食品収容容器６１は、紙に合成樹脂フィルムを貼り付けたブランクシート６３をプレス成型することによって形成され、矩形形状の底部１３と、底部１３の対向する一対の長辺の各々から斜め上方に立ち上がる矩形形状の一対の第１周壁部１４ａ，第１周壁部１４ｂと、底部１３の対向する一対の短辺の各々から斜め上方に立ち上がる矩形形状の一対の第２周壁部１５ａ，第２周壁部１５ｂと、これらの周壁部の各々を接続する襞状に形成されたコーナー周壁部１７ａ〜コーナー周壁部１７ｄとから構成されている。
【０００４】
尚、ブランクシート６３にあっては、図示しないシート体から図５に示すようなコーナーが丸められた矩形形状に打ち抜かれる。そして、２点鎖線で示されている矩形形状のベース部２５は食品収容容器６１の底部１３となり、第１直線部２６ａ，第１直線部２６ｂは第１周壁部１４ａ，第１周壁部１４ｂとなり、第２直線部２７ａ，第２直線部２７ｂは第２周壁部１５ａ，第２周壁部１５ｂとなり、コーナー部２８ａ〜コーナー部２８ｄの各々はコーナー周壁部１７ａ〜コーナー周壁部１７ｄの各々となる。
【０００５】
又、ブランクシートを構成する合成樹脂フィルムは、食品収容容器６１において内面側となるようにプレス成型される。これによって、食品収容容器６１内部におかず等の食品を収納し、その状態で食品収容容器６１を弁当箱等に収納することが可能となる。
【０００６】
一方、特許文献１に示されているように、上記のような食品収容容器に対して、その上部を覆う蓋片やその蓋片を固定するための留片が周壁部の上端に接続された食品ケースも提案されている。
【０００７】
【特許文献１】実公平６−４７７６９号公報
【発明の開示】
【発明が解決しようとする課題】
【０００８】
図４で示したような従来の食品収容容器にあっては、各周壁部の上端がほぼ同一平面上に位置するため、複数の容器が隣接した状態となると各々の周壁部が掴みにくく、取出しにくい。又、容器を単体で使用している場合であっても、その内部に食品が一杯に収容されていると、食品が邪魔となりやはり周壁部が掴みにくい。
【０００９】
一方、特許文献１に示されているような食品ケースにあっては、蓋片等を容器の摘み代として使用することもできるが、容器に対してその位置が安定しないため食品の収容の際に邪魔になる虞があり、使い勝手が良いとは言えない。
【００１０】
この発明は、上記のような課題を解決するためになされたもので、使用状態に関わらず取出し易く、又食品収容時に邪魔にならない食品収容容器を提供することを目的とする。
【課題を解決するための手段】
【００１１】
上記の目的を達成するために、請求項１記載の発明は、１枚のブランクシートからプレス加工によって形成される食品収容容器であって、矩形形状の底部と、底部の対向する一対の辺の各々から上方に立ち上がる矩形形状の一対の第１周壁部と、底部に対向する一対の他辺の各々から上方に立ち上がる矩形形状の一対の第２周壁部と、第１周壁部及び第２周壁部の少なくとも一方の外縁の少なくとも一部に接続された一対の取手部とを備え、取手部の各々には、その外周縁の位置から底部に向う折り目が形成されるものである。
【００１２】
このように構成すると、周壁部の少なくともいずれかに、曲げ強度が向上した一対の取手部が接続される。
【００１３】
請求項２記載の発明は、請求項１記載の発明の構成において、折り目は外縁を超えて対応する第１周壁部及び第２周壁部のいずれかまで形成されるものである。
【００１４】
このように構成すると、取手部の外縁における曲げ強度が向上する。
【００１５】
請求項３記載の発明は、請求項２記載の発明の構成において、折り目は底部の近傍まで形成されるものである。
【００１６】
このように構成すると、折り目が形成された周壁部の強度も向上する。
【００１７】
請求項４記載の発明は、請求項１から請求項３のいずれかに記載の発明の構成において、折り目は、対応する取手部の各々に対し、複数形成されるものである。
【００１８】
このように構成すると、取手部の曲げ強度がより向上する。
【００１９】
請求項５記載の発明は、１枚のブランクシートからプレス加工によって形成される食品収容容器であって、底部と、底部に接続される少なくとも一対の周壁部と、周壁部の各々の外縁の少なくとも一部に接続された一対の取手部とを備え、取手部の各々には、その外周縁の位置から底部に向う折り目が形成されるものである。
【００２０】
このように構成すると、周壁部に曲げ強度が向上した一対の取手部が接続される。
【発明の効果】
【００２１】
以上説明したように、請求項１記載の発明は、周壁部の少なくともいずれかに曲げ強度が向上した一対の取手部が接続されるため、取手部を掴むことによって食品収容容器を容易に取出したり、移動することが可能となる。又、取手部が不用意にカールするのが防止される。
【００２２】
請求項２記載の発明は、請求項１記載の発明の効果に加えて、取手部の外縁における曲げ強度が向上するため、取手の強度がより向上し使い勝手が向上する。
【００２３】
請求項３記載の発明は、請求項２記載の発明の効果に加えて、折り目が形成された周壁部の強度も向上するため、容器全体の強度が向上し使い勝手が向上する。
【００２４】
請求項４記載の発明は、請求項１から請求項３のいずれかに記載の発明の効果に加えて、取手部の曲げ強度がより向上するため、容器の信頼性がより向上する。
【００２５】
請求項５記載の発明は、周壁部に曲げ強度が向上した一対の取手部が接続されるため、取手部を掴むことによって食品収容容器を容易に取出したり移動することが可能となる。又、取手部が不用意にカールするのが防止される。
【発明を実施するための最良の形態】
【００２６】
図１はこの発明の第１の実施の形態による食品収容容器の外観形状を示した斜視図であり、図２はプレス成型によって図１に示す食品収容容器を形成するためのブランクシートの外観形状を示した平面図である。
【００２７】
これらの図を参照して、基本的な構造は図４で示した食品収容容器と共通するので、ここではその相違点を中心に説明する。
【００２８】
この実施の形態にあっては、ブランクシートは、純白紙（坪量：４０ｇ／ｍ２）に厚さ１２μｍのポリエチレンテレフタレート（ＰＥＴ）を全面に貼り付けたものを用い、これを容器内面がＰＥＴの面になるようにプレス成型している。
【００２９】
食品収容容器１１の第２周壁部１５ａ，第２周壁部１５ｂは図４に示すものと同一であるが、第１周壁部１４ａ，第１周壁部１４ｂの周辺が大きく異なっている。即ち、第１周壁部１４ａの上方端である外縁１８ａの中央部の一部に、円弧状の取手部１９ａが第１周壁部１４ａの延長上に接続されている。そして、取手部１９ａの外周縁の中央の位置から底部１３に向って折り目２０ａが形成されている。折り目２０ａはその山側が容器内面に向うように形成されており、その下方端は外縁１８ａを通過して第１周壁部１４ａの途中まで達している。
【００３０】
同様に第１周壁部１４ｂにも取手部１９ｂが接続され、取手部１９ｂの外周縁の位置から第１周壁部１４ｂに渡り、底部１３に向う折り目２０ｂが形成されている。この折り目２０ｂもその山側が容器内面側に向うように形成されている。
【００３１】
これらの取手部１９ａ，取手部１９ｂは、図２に示すブランクシート２３にあっては第１直線部２６ａ，第１直線部２６ｂの外周縁に接続される円弧状の突出部３０ａ，突出部３０ｂが対応する。
【００３２】
プレス成型時にあっては、図４で示した容器のプレス成型と基本的に同じ方法を採用することができるが、プレス成型時に折り目２０ａ，折り目２０ｂも併せて形成するようにすれば、容器の製造効率が向上する。
【００３３】
次に、この食品収容容器１１の使用方法について説明する。
【００３４】
使用時にあっては、従来のものと同様に、容器内面におかず等の食品を収納する。そして、食品収容容器１１を移動させたり又これを取出したりする際には、取手部１９ａ，取手部１９ｂを摘むことによって、容易に可能となる。食品収容容器１１を複数隣接させた状態であっても、取手部１９ａ，取手部１９ｂは第２周壁部１５ａ，第２周壁部１５ｂ及び第１周壁部１４ａ，第１周壁部１４ｂの上端の位置レベルから上方に突出た状態となっているからである。
【００３５】
そして、取手部１９ａ，取手部１９ｂには、折り目２０ａ，折り目２０ｂが底部１３に向う方向に形成されている。したがって、取手部１９ａ，取手部１９ｂの２点鎖線で示す位置を屈曲線とする場合の曲げ強度が向上する。したがって、取手部１９ａ，取手部１９ｂが不用意に容器内側の方に曲がったり或いは外方に曲がってその突出効果が生じないという虞ははない。又、取手部１９ａ，取手部１９ｂを掴んだ状態にあっても折り目２０ａ，折り目２０ｂによって剛性感が生じ掴み勝手が向上する。
【００３６】
尚、折り目２０ａ，折り目２０ｂは取手部１９ａ，取手部１９ｂの部分にのみ形成されていても、そのようなものが形成されていないものに対して強度が向上する。しかし、折り曲げ強度をより効果的に発揮するためには第１周壁部１４ａ，第１周壁部１４ｂの部分にまで形成されることが好ましい。
【００３７】
図３はこの発明の第２の実施の形態による食品収容容器の外観形状を示した斜視図である。
【００３８】
図を参照して、この実施の形態にあっては、図１のように取手部１９ａ，取手部１９ｂが形成されているのみならず、第２周壁部１５ａ，第２周壁部１５ｂに対して取手部３４ａ，取手部３４ｂが形成されている。これによって、より容器が掴み易くなり使い勝手が向上する。
【００３９】
又、この実施の形態にあっては、取手部１９ａには２本の第１折り目３１ａ及び第２折り目３２ａが形成されており、更にこれらの下端は底部１３の長辺の近傍部分にまで達している。同様に第１周壁部１４ｂに接続されている取手部１９ｂにも同様に２本の第１折り目３１ｂ及び第２折り目３２ｂが第１周壁部１４ｂの下端にまで達している。これによって、取手部１９ａ，取手部１９ｂの曲げ強度は先の実施の形態に比べてより向上する。更に、第１折り目３１及び第２折り目３２は第１周壁部１４の下方端まで形成されているため、第１周壁部１４自体の曲げ強度も向上する。その結果食品収容容器１１全体の強度が向上し、容器の信頼性がより向上する。
【００４０】
一方、取手部３４ａ，取手部３４ｂの各々に形成されている折り目３５ａ，折り目３５ｂは第２周壁部１５ａ，第２周壁部１５ｂの途中まで形成されている点は先の実施の形態によるものと同一であるが、折り目３５ａ，折り目３５ｂの山側は容器の外方に向うように形成されている。折り目３５ａ，折り目３５ｂの山側の形成方向は異なっていてもその曲げ強度は同様に向上する。したがって、これらの折り目の山側の形成方向は食品収容容器１１の用途に応じて適宜決定すれば良い。
【００４１】
尚、上記の各実施の形態では、取手部は円弧状に形成されているが、摘みとして機能するものであれば他の形状であっても良い。
【００４２】
又、上記の各実施の形態では、折り目はいずれも底部に向かって最短距離の方向に形成されているが、底部に向かって斜め方向に形成されていても良い。
【００４３】
更に、上記の各実施の形態では、容器は底部が矩形形状を有し、且つ４つの矩形形状の周壁部を有しているが、底部の形状は他の形状であっても良く、少なくとも対向する一対の周壁部を有した容器であれば同様に適用できる。
【００４４】
更に、上記の各実施の形態では、ブランクシートは所定厚さの純白紙とＰＥＴとから構成されているが、他の紙や異なった厚さのものを採用したり、あるいは紙に代えてアルミ箔や合成樹脂フィルムを両面に用いたような他のシート材料であっても同様の効果を奏する。
【００４５】
更に、上記の各実施の形態では、周壁部は底部から斜め外方に立ち上がるように構成されているが、周壁部は垂直方向に立ち上がっていても良い。
【図面の簡単な説明】
【００４６】
【図１】この発明の第１の実施の形態による食品収容容器の外観形状を示した斜視図である。
【図２】図１で示した容器をプレス成型によって形成するためのブランクシートの外観形状を示した平面図である。
【図３】この発明の第２の実施の形態による食品収容容器の外観形状を示した斜視図である。
【図４】従来の食品収容容器の外観形状を示した斜視図である。
【図５】図４で示した容器をプレス成型によって形成するためのブランクシートの外観形状を示した平面図である。
【符号の説明】
【００４７】
１１…食品収容容器
１３…底部
１４…第１周壁部
１５…第２周壁部
１８…外縁
１９，３４…取手部
２０，３５…折り目
２３…ブランクシート
３１…第１折り目
３２…第２折り目
尚、各図中同一符号は同一又は相当部分を示す。
【図１】
2006347596.tif 000003
【図２】
2006347596.tif 000004
【図３】
2006347596.tif 000005
【図４】
2006347596.tif 000006
【図５】
2006347596.tif 000007